(57)【要約】【課題】  粉末緑茶などの栄養粉末を密閉容器に収納し、ペットボトルなどのボトル型容器の瓶口に取り付けることにより簡単に、美味しく、新鮮な飲料を提供する。【解決手段】  ボトル本体１７の口に栄養粉末を収納した機密性の高い密閉容器２が取り付けられたシリンダー状の筒１をボトルキャップ２０で固定止着し、その上に取り付けられたチューブ型の開口器８で密閉容器蓋３を破り密閉容器２に収納された栄養粉末をボトル内の液体に、さらさらした状態で落下させるようにした。落下時にはチューブ開口器の刃９が通過しても密閉容器蓋３を完全に切り落とすことを防ぎ、密閉容器蓋３は密閉容器２の下部端側にとどまることができるようにした。【選択図】  図２
2007076738.tif 000002
【特許請求の範囲】
【請求項１】
ボトル本体１７の注出口に栄養粉末を収納した密閉容器２が取り付けられたシリンダー状の筒１をボトルキャップ２０で固定止着し、その上に取り付けられたチューブ型の開口器８でアルミニウムもしくはプラスティックもしくはその両方を組み合わせてできた密閉容器蓋３を破り密閉容器２に収納された栄養粉末をボトル内の液体に落下させる粉末栄養素混合容器。
【請求項２】
密閉容器２がチューブ型開口器８に直接接触していないため気密性の高い状態で栄養粉末の保存を可能とすることを特徴とする特許請求の範囲第１項に記載した混合容器。
【請求項３】
チューブ型開口器８をボトル本体方向に押圧したとき、チューブ型開口器８は筒状になっているため粉末状の栄養素を圧縮し固めてしまうことなく栄養粉末をチューブ内１０にデリケートに包み込むように保護しながらさらさらした状態で落下させ、栄養粉末が液体に溶けやすくしたことを特徴とする特許請求範囲第１項に記載した混合容器。
【請求項４】
チューブ型開口器には溝１１があり、この溝１１がチューブ開口器の刃９が通過しても密閉容器蓋３を完全に切り落とすことを防ぎ、チューブ開口器の刃９が通過した後も、密閉容器蓋３は密閉容器２の下部端側に残すことができるようにしたことを特徴とする特許請求範囲第１項に記載した混合容器。
【請求項５】
チューブ型開口器８には鉤型をしたフックキャッチャー１３がありチューブ型開口器８をボトル方向に押圧したとき、シリンダー状の筒１に備えられてあるフック５と結合し、ボトル内の液体と栄養粉末を落下させた後、混合するためにボトル本体１７を振るときにチューブ型開口器８の逆戻り、液体漏れを防ぐことを特徴とする特許請求範囲第１項に記載した混合容器。
【請求項６】
チューブ型開口器８には鋭利縁（エッジ）ポケット１４がありチューブ型開口器８をボトル方向に押圧したとき、シリンダー状の筒１に備えられてある内側湾曲型鋭利縁（エッジ）７と結合し液体漏れを防ぐことを特徴とする特許請求範囲第１項に記載した混合容器。
【請求項７】
チューブ型開口器８は内側湾曲型鋭利縁７と接触するところ（図１，２，３参照）からエッジポケット１４方向に向けて直径が微小に太くなる表面体１５を持ちチューブ型開口器８をボトル方向に押圧したとき、シリンダー状の筒１とより密着することにより液体漏れを防ぐこと、また微小に直径が太くなることと、内側湾曲型鋭利縁７の先端内側が湾曲する形状とが作用し、使用者が使う時までチューブ型開口器８がボトル方向へ進行し密閉容器蓋３を開口するのを防ぐことを特徴とする特許請求範囲第１項に記載した混合容器。
【請求項８】
チューブ型開口器８の外側には超微小フック１６がありシリンダー状の筒１の内側に備えられている超微小フックキャッチャー６に止着することによりチューブ型開口器８が使用者が開口する時までボトル方向へ進行し密閉容器蓋３を開口するのを防ぐこと、またボトル方向に対して逆方向への進行を防ぐことを特徴とする特許請求範囲第１項に記載した混合容器。
【請求項９】
シリンダー状の筒１には内側湾曲型鋭利縁（エッジ）７が備えられ先端部が内側に湾曲することにより使用者がチューブ型開口器８をボトル方向へ押圧した時チューブ型開口器８の表面体１５に内側湾曲型鋭利縁（エッジ）７がより密着しながらチューブ型開口器８の鋭利縁（エッジ）ポケット１４に結合し液体漏れを防ぐこと、また先端が内側へ湾曲している形状からチューブ型開口器８を強くサポートすることができチューブ型開口器の８の内側湾曲型鋭利縁７と接触するところ（図１，２，３参照）からエッジポケット１４方向に向けて直径が微小に太くなる表面体１５と作用することで、使用者が開口するときまでチューブ型開口器８を適正な位置（密閉容器蓋３の手前）に止めておくことができることを特徴とする特許請求範囲第１項に記載した混合容器。
【請求項１０】
ボトル本体１７の首部分は使用者がチューブ型開口器８をボトル方向に押圧する時、使いやすいように幅広型取っ手１８もしくは横長で指の形に湾曲した取っ手１９となり、使用者は２本の指を幅広型取っ手１８もしくは横長で指の形に湾曲した取っ手１９の下部に挿入し、手のひらでチューブ型開口器８をボトル方向へ押し込み、握るような感覚で片手で簡単に開口できることを特徴とする特許請求範囲第１項に記載した混合容器。
【請求項１１】
栄養粉末を収納した密閉容器２が取り付けられたシリンダー状の筒１とボトルキャップ２０は図２または図２４のように部品点数削減のためあらかじめ結合させ１つの部品として製造することができ、シリンダー状の筒を結合させたボトルキャップ２２を備えることを特徴とする特許請求範囲第１項に記載した混合容器。
【発明の詳細な説明】
【技術分野】
【０００１】  この発明はプラスチックもしくはアルミニウムもしくはその両方を用いて作られ、ボトルに入れられた液体に混合されるべき栄養粉末を容器に収容し、飲料時に栄養粉末を落下させる仕組に関し、特にボトルの首部分に備えられた幅広もしくは横長に湾曲する取手と組み合わせることで簡単に開口できる仕組に関する。
【背景技術】
【０００２】  ボトルの中に粉末を落とす方法は以前からネジ型で回転させながら粉末収納蓋を破り落下させる技術がある。しかしこの仕組は開口するときに押圧式と比べ回転させなければならない分時間がかかり、簡単開口ではない。また、公開番号Ｐ２００４−８３０２２Ａの発明は開口器が直接栄養粉末に接しているため完全密封を実現することが難しく栄養粉末を収納しても新鮮さを維持することが難しいという欠点がある。
【特許文献１】公開番号Ｐ２００４−８３０２２Ａ
【０００３】  公開番号Ｐ２００３−０８１３５７の発明はキャップを一旦取り外し、再度裏返してキャップをネジ着して、密閉容器蓋を破り粉末体をボトル内に落下させるという手間と時間がかかる。またこの発明は密閉容器に収容されたすべての粉末体をボトル内の液体に落下させることに難点がある。
【特許文献２】公開番号Ｐ２００３−０８１３５７
【０００４】  公開番号２００３−７２８２２、２００３−０３４３６７の発明に関しても同様で密閉容器に収容されたすべての粉末体をボトル内の液体に落下させることに難点があり、ある程度の粉末体が密閉容器内に残ってしまう。
【特許文献３】公開番号２００３−７２８２２
【特許文献４】公開番号２００３−０３４３６７
【０００５】  公開番号２００３−０３４３６７の発明に関しては開口時に密閉容器内の粉末体が圧縮されてしまい、粉末体がボトル内の液体に落下しても容易に混合することができないという欠点をもつ。
【特許文献５】公開番号２００３−０３４３６７
【発明の開示】
【発明が解決しようとする課題】
【０００６】  しかしながら、ネジ型で回転させながら粉末収納蓋を破り落下させる技術は開口するときに押圧式と比べ回転させなければならない分時間がかかり、開口器が直接栄養粉末に接しているため完全密封を実現することが難しく栄養粉末を収納しても新鮮さを維持することが難しいという問題点がある。【０００７】  また、キャップを一旦取り外し、再度裏返してキャップをネジ着して、密閉容器蓋を破り粉末体をボトル内に落下させる技術も手間と時間がかかり密閉容器に収容されたすべての粉末体をボトル内の液体に落下させることに難点がある。【０００８】  また、公開番号２００３−０３４３６７の技術のように開口時に密閉容器内の粉末体が圧縮されてしまい、粉末体がボトル内の液体に落下しても容易に混合することができないという問題点もあった。
【課題を解決するための手段】
【０００９】  この発明の粉末栄養素混合容器は、ボトル本体１７の注出口に栄養粉末を収納した密閉容器２が取り付けられたシリンダー状の筒１をボトルキャップ２０で固定止着し、その上に取り付けられたチューブ型の開口器８でアルミニウムもしくはプラスティックもしくはその両方を組み合わせてできた密閉容器蓋３を破り密閉容器２に収納された栄養粉末をボトル内の液体に落下させるようにした。【００１０】  そして使用者が開口するまで密閉容器２はチューブ型開口器８に直接接触しない構造にすることにより気密性の高い状態で栄養粉末を保存できるようにした。【００１１】  使用者がチューブ型開口器８をボトル本体方向に押圧したとき、チューブ型開口器８は筒状になっているため粉末状の栄養素を押固めてしまうことなく栄養粉末をチューブ型開口器８のチューブ内１０にデリケートに包み込むように保護し、さらさらした状態で落下させることができるようにした。【００１２】  チューブ開口器には溝１１を備え、この溝１１がチューブ開口器の刃９が通過しても密閉容器蓋３を完全に切り落とすことを防ぎ、チューブ開口器の刃９が通過した後、密閉容器蓋３は密閉容器２の下部端側にとどまることができるようにした。
【発明の効果】
【００１３】  本発明は粉末緑茶をはじめとする各種栄養粉末を密閉容器に収納し、ペットボトル、ガラス瓶、金属ボトル型容器の瓶口に固定止着することにより、飲料時、簡単に、美味しく、新鮮な飲料を提供できるようにした。
【発明を実施するための最良の形態】
【００１４】  以下、本発明の最良の実施形態を図面にも基づき説明する。【００１５】  いまボトル本体１７内には水またはジュースなどの液体が封入されている。また、ボトルの瓶口には栄養粉末を収納した密閉容器２が取り付けられたシリンダー状の筒１がボトルキャップ２０で固定止着され、その上部にチューブ型の開口器８が挿入取り付けされている。この時チューブ型開口器８の直径がエッジポケット１４方向に向けて内側湾曲型鋭利縁７と接触するところ（図１，２，３参照）から微小に太くなる表面体１５を持つことで、先端内側が湾曲する内側湾曲型鋭利縁７と作用し、使用者が開口する時までチューブ型開口器８がボトル方向へ進行し、密閉容器蓋３を開口するのを防ぐ役割をしている。また、チューブ型開口器８の外側には超微小フック１６がありシリンダー状の筒１の内側に備えられている超微小フックキャッチャー６に止着することによりチューブ型開口器８が使用者が開口する時までボトル方向へ進行し密閉容器蓋３を開口するのを防ぐこと、またボトル方向に対して逆方向への進行を防ぐ役割をしている。【００１６】  使用者は、ボトルの首部分に備えられてある幅広型取手１８もしくは横長で指の形に湾曲した取っ手１９の下部に２本の指を挿入し、手のひらでチューブ型開口器８をボトル方向へ移動させ、片手で握るような感覚で押し込む。【００１７】  この結果チューブ型開口器８の刃９は密閉容器蓋３を破り密閉容器２に収納された栄養粉末をボトル内の液体に落下させる。この時チューブ型開口器８は筒状になっているため粉末状の栄養素を押固めてしまうことなく栄養粉末をチューブ内１０にデリケートに包み込むように保護し、さらさらした状態で落下させる。そして、チューブ型開口器８の溝１１がチューブ開口器の刃９が通過しても密閉容器蓋３を完全に切り落とすことを防ぎ、チューブ開口器の刃９が通過した後も、密閉容器蓋３は密閉容器２の下部端側にとどまる。【００１８】  上記の動作と同時にチューブ型開口器８の鉤型をしたフックキャッチャー１３がシリンダー状の筒１に備えられてあるフック５と結合し、ボトル内の液体と栄養粉末を落下させた後、混合するためにボトル本体１７を振るときにチューブ型開口器８の逆戻り、液体漏れを防ぐ。また、チューブ型開口器８の鋭利縁（エッジ）ポケット１４がシリンダー状の筒１に備えられてある内側湾曲型鋭利縁（エッジ）７と結合し液体漏れを防ぐ。また、チューブ型開口器８の直径がエッジポケット１４方向に向けて内側湾曲型鋭利縁７と接触するところ（図１，２，３参照）から微小に太くなる表面体１５を持つことから、先端内側が湾曲する内側湾曲型鋭利縁７と作用し、シリンダー状の筒１と密着しながら液体漏れを防ぐ。【００１９】  最後にボトル本体１７を振ってその場で新鮮な栄養飲料水が出来上がる。このように本発明粉末栄養素混合容器は押すだけの簡単な動きで新鮮な緑茶ならびに、栄養飲料水をその場で使用者が作ることができる。飲用に際して両者を混合させることで栄養素の酸化ならびに低下を防ぎ、防腐剤を使用する必要もなくなり使用者に健康で新鮮な飲料水を提供することができる。
【実施例】
【００２０】  本発明のボトル本体１７はそれぞれ既存のペットボトル、ガラスボトル、金属ボトルを使用することが可能であり、ボトル本体の首部分に幅広、横長湾曲型取っ手を備える場合も同じ材質を使用するのが好ましい。【００２１】  シリンダー状の筒１、栄養粉末を収納するための密閉容器２、ボトルキャップ２０、キャップ２３、カバー２４は弾力性のある変形性を有するプラスティック材料で作成するのが好ましい。チューブ型開口器８に関しては上記の材料を使ってもよいが少し固めのプラスティック材料で作成するのが好ましい。【００２２】  密閉容器蓋３に関してはアルミニウムもしくはプラスティックもしくはその両方を合成して作成するのが好ましい。実験ではアルミホイルのような薄いアルミニウム素材を使うとよい。この密閉容器２を製造するときは、シリンダー状の筒１と同じ直径、材質の筒を使う。筒の一方をアルミニウムもしくはプラスティックもしくはその両方を合成して作成されたもので密閉（密閉容器蓋となる）し、接着する。そこに栄養粉末を充填した後、もう一方を密閉（密閉容器蓋となる）し密閉容器２が出来上がる。この密閉容器２とシリンダー状の筒１とを接着した後、チューブ型開口器８を取り付ける。【００２３】  チューブ型開口器８の刃９は図１７の９．ａならびに９．ｂのようにチューブの内側を鋭利に加工、もしくは金型の段階で鋭利になるように設計するほうが好ましい。チューブ型開口器８の溝１１の長さは密閉容器２の長さに比例し密閉容器２の長さは栄養粉末の量に比例する。チューブ型開口器８の刃９の角度は２０度から８５度の間で製造されるのが好ましい。また、チューブ型開口器８の溝１１の最後（エンド）の部分１２の角度は４５度から８５度の間で製造されるのが好ましい。この溝１１の最後部分１２は使用者がチューブ型開口器８を押圧するとき密閉容器蓋３を通過してしまうことはない。つまり溝１１の最後部分１２は最初の密閉容器蓋３の手前で止まることになる。【００２４】  チューブ型開口器８は内側湾曲型鋭利縁７と接触するところ（図１，２，３参照）からエッジポケット１４方向に向けて直径が微小に太くなる表面体１５にするのが好ましい。これは使用者がチューブ型開口器８をボトル方向に押圧したとき、シリンダー状の筒１とより密着することにより液体漏れを防こと、また微小に直径が太くなることにより使用者が開口する時までチューブ型開口器８がボトル方向へ進行し密閉容器蓋３を開口するのを防ぐためのものである。【００２５】  チューブ型開口器８の外側には超微小フック１６を作りシリンダー状の筒１の内側にも超微小フックキャッチャー６を作ることによってチューブ型開口器８を適正な位置（密閉容器蓋３の手前）に止着させることができ、使用者が開口する時までチューブ型開口器８がボトル方向へ進行し密閉容器蓋３を開口してしまうのを防ぐこと、またボトル方向に対して逆方向への進行を防ぐことができる。また、チューブ型開口器８を直線的にスライドさせるためにレール６ａとレールを走る突起１６ａを作るのが好ましい。【００２６】  シリンダー状の筒１には内側湾曲型鋭利縁（エッジ）７を作りチューブ型開口器８には鋭利縁（エッジ）ポケット１４を作るほうが好ましい。���れは使用者がチューブ型開口器８をボトル方向に押圧したとき、シリンダー状の筒１に備えられてある内側湾曲型鋭利縁（エッジ）７とチューブ型開口器８の鋭利縁（エッジ）ポケット１４とが結合し液体漏れを防ぐためである。内側湾曲型鋭利縁７は先端部が内側に湾曲させるほうが好ましい。これは使用者がチューブ型開口器８をボトル方向へ押圧した時チューブ開口器８の表面体１５に内側湾曲型鋭利縁（エッジ）７がより密着しながらチューブ開口器８の鋭利縁（エッジ）ポケット１４に結合し液体漏れを防ぐことができるほか、強くチューブ型開口器８をサポートするため微小に太くなる表面体１５の作用と重なり、チューブ型開口器８を適正な位置（密閉容器蓋３の手前）に止めておくことができるからである。【００２７】  シリンダー状の筒１とボトル本体１７の瓶口の間には液漏れ防止ワッシャー２１が挿入される。液漏れ防止ワッシャー２１はプラスティックもしくはビニールもしくはゴムで製造されることが好ましい。また、製品として市場に出される場合はボトルキャップ２０の上部に使用者が使用する前に誤って開口されることがないように安全キャップ２３をかぶせることが好ましい。ボトルキャップ２０には安全キャップ２３に対する落下防止突起２０．ａをつけたほうが好ましい。安全キャップ２３にはボトルキャップ２０に対する落下防止突起２３．ａをつけたほうが好ましい。さらに、使用者が安全を確認できるようにボトルの首部分から安全キャップ２３までプラスティックの安全カバー２４で覆って出荷することが好ましい。【００２８】  シリンダー状の筒を結合させたボトルキャップ２２は図２または図２４のように部品点数削減のためシリンダー状の筒１とボトルキャップ２０をあらかじめ結合させ、金型で１つの部品として製造することができる。
【産業上の利用可能性】
【００２９】  以上説明したように本発明は粉末緑茶をはじめとする各種栄養粉末を密閉容器に収納し、ペットボトル、ガラス瓶、金属ボトル型容器の瓶口に固定止着することにより、飲料時、簡単に、美味しく、防腐剤を添加する必要のない新鮮な飲料を提供できるようにした。特に粉末緑茶に関しては緑茶本来の香りと栄養成分を損なうことなく効率的に摂取することができる。また、指２本と手のひら（片手）で簡単に開口できることから使用者の手間、時間を省き、その形状から使用者の興味を引くことができる。
【図面の簡単な説明】
【００３０】
【図１】本発明による粉末要素混合容器および容器の一部切欠拡大側面図である。
【図２】本発明によるシリンダー状の筒を結合させたボトルキャップ２２を備えた粉末要素混合容器および容器の一部切欠拡大側面図でチューブ型開口器８の先端部分を立体的に表現したものである。
【図３】本発明による粉末要素混合容器および容器の一部切欠拡大正面図である。
【図４】本発明による粉末要素混合容器および容器の一部切欠拡大側面図で、チューブ型開口器８が密閉容器蓋３を破り密閉容器２に収納された栄養粉末をボトル内の液体に落下させる図である。チューブ開口器の刃９が通過した後も、密閉容器蓋３は密閉容器２の下部端側にとどまることを表現している。
【図５】本発明による粉末要素混合容器および容器の一部切欠拡大正面図で、チューブ型開口器８が密閉容器蓋３を破り密閉容器２に収納された栄養粉末をボトル内の液体に落下させる図である。チューブ開口器の刃９が通過した後も、密閉容器蓋３は密閉容器２の下部端側にとどまることを表現している。
【図６】本発明による粉末要素混合容器および容器の立体的一部切欠拡大側面図である。
【図７】本発明による粉末要素混合容器および容器の立体的一部切欠拡大側面図で、チューブ型開口器８が密閉容器蓋３を破り密閉容器２に収納された栄養粉末をボトル内の液体に落下させる図である。チューブ開口器の刃９が通過した後も、密閉容器蓋３は密閉容器２の下部端側にとどまることを表現している。
【図８】本発明による粉末要素混合容器および大型瓶口容器の一部切欠構成側面図である。
【図９】本発明による粉末要素混合容器および幅広首プラスティック容器の一部切欠構成側面図である。
【図１０】密閉容器蓋３で栄養粉末を収納した密閉容器２が取り付けられたシリンダー状の筒１にステー４が備えられた拡大側面図である。
【図１１】密閉容器蓋３で栄養粉末を収納した密閉容器２が取り付けられたシリンダー状の筒１にフック５が備えられた拡大側面図である。
【図１２】密閉容器蓋３で栄養粉末を収納した密閉容器２が取り付けられたシリンダー状の筒１の内側に超微小フックキャッチャー６が備えられた拡大側面図である。また、チューブ型開口器８を直線的にスライドさせるためのレール６ａの拡大側面図である。
【図１３】密閉容器蓋３で栄養粉末を収納した密閉容器２が取り付けられたシリンダー状の筒１に内側湾曲型鋭利縁７が備えられた拡大側面図であり、チューブ型開口器８が挿入取り付けされていない状態７．ａでは先端部が内側に湾曲している形状を表現している。一方、チューブ型開口器８が挿入取り付けされている状態７．ｂでは先端部はまっすぐにチューブ型開口器８の表面体１５に沿い伸びることを表現している。チューブ型開口器８が挿入取り付けされている状態７．ｂでは内側湾曲型鋭利縁７が強くチューブ型開口器８の表面体１５をサポートしていることを表現している。
【図１４】チューブ型開口器８とおよびその刃９、チューブ内１０の拡大側面図である。チューブ型開口器８の刃９の拡大斜視図９．ａならびにチューブ型開口器８の刃９の拡大正面断面図９．ｂでは内側に向かって鋭利に加工されていることが表現されている。
【図１５】チューブ型開口器８の溝１１とその最後部分１２の拡大側面図である。
【図１６】チューブ型開口器８のフックキャッチャー１３の拡大側面図である。
【図１７】チューブ型開口器８の鋭利縁（エッジ）ポケット１４の拡大側面図である。
【図１８】チューブ型開口器８の表面体１５の拡大側面図である。この表面体１５は直径がエッジポケット１４方向に向けて内側湾曲型鋭利縁７と接触するところ（図１，２，３参照）から微小に太くなることで、先端内側が湾曲する内側湾曲型鋭利縁７と作用し、使用者が開口する時までチューブ型開口器８がボトル方向へ進行し、密閉容器蓋３を開口するのを防ぐ一方で、使用者がチューブ型開口器（８）をボトル方向に押圧した時、先端内側が湾曲する内側湾曲型鋭利縁７と作用し、シリンダー状の筒１と密着しながら液体漏れを防ぐのである。
【図１９】チューブ型開口器８の超微小フック１６の拡大側面図であり、シリンダー状の筒１の内側に備えられている超微小フックキャッチャー６に止着することによりチューブ型開口器８が使用者が開口する時までボトル方向へ進行し密閉容器蓋３を開口するのを防ぐこと、またボトル方向に対して逆方向への進行を防ぐ役割をしている。また、チューブ型開口器８を直線的にスライドさせるためのレールを走る突起１６ａの拡大側面図である。
【図２０】異なった形状のチューブ型開口器８から８．ｆの拡大側面図である。
【図２１】ボトル本体１７およびボトルの首部分に備えられた幅広取っ手１８と横長で指の形に湾曲した取手１９の拡大側面図である。
【図２２】ボトルキャップ２０および落下防止突起２０．ａ安全シール２０．ｂの拡大側面図である。
【図２３】液漏れ防止ワッシャー２１の拡大側面図である。
【図２４】シリンダー状の筒を結合させたボトルキャップ２２の拡大側面図であり、部品点数削減のためシリンダー状の筒１とボトルキャップ２０をあらかじめ結合させ、金型で１つの部品として製造されるものである。
【図２５】安全キャップ２３および落下防止突起２３．ａの拡大側面図である。
【図２６】安全カバー２４の拡大側面図である。
【図２７】シリンダー状の筒１と密閉容器２との結合構造の例を示している。
【図２８】シリンダー状の筒１と密閉容器２との結合構造の例を示している。
【図２９】シリンダー状の筒１と密閉容器２との結合構造の例を示している。
【図３０】シリンダー状の筒１と密閉容器２との結合構造の例を示している。
【図３１】シリンダー状の筒１と密閉容器２との結合構造の例を示している。
【符号の説明】
【００３１】１、シリンダー状の筒
２、密閉容器
３、密閉容器蓋
４、ステー
５、フック
６、超微小フックキャッチャー
７、内側湾曲型鋭利縁
８、チューブ型開口器
９、刃
１０、チューブ内
１１、溝
１２、最後部分
１３、フックキャッチャー
１４、鋭利縁（エッジ）ポケット
１５、表面体
１６、超微小フック
１７、ボトル本体
１８、幅広取手
１９、横長湾曲指形取手
２０、ボトルキャップ
２１、液漏れ防止ワッシャー
２２、シリンダー状の筒を結合させたボトルキャップ
２３、安全キャップ
２４、安全カバー
【図１】
2007076738.tif 000003
【図２】
2007076738.tif 000004
【図３】
2007076738.tif 000005
【図４】
2007076738.tif 000006
【図５】
2007076738.tif 000007
【図６】
2007076738.tif 000008
【図７】
2007076738.tif 000009
【図８】
2007076738.tif 000010
【図９】
2007076738.tif 000011
【図１０】
2007076738.tif 000012
【図１１】
2007076738.tif 000013
【図１２】
2007076738.tif 000014
【図１３】
2007076738.tif 000015
【図１４】
2007076738.tif 000016
【図１５】
2007076738.tif 000017
【図１６】
2007076738.tif 000018
【図１７】
2007076738.tif 000019
【図１８】
2007076738.tif 000020
【図１９】
2007076738.tif 000021
【図２０】
2007076738.tif 000022
【図２１】
2007076738.tif 000023
【図２２】
2007076738.tif 000024
【図２３】
2007076738.tif 000025
【図２４】
2007076738.tif 000026
【図２５】
2007076738.tif 000027
【図２６】
2007076738.tif 000028
【図２７】
2007076738.tif 000029
【図２８】
2007076738.tif 000030
【図２９】
2007076738.tif 000031
【図３０】
2007076738.tif 000032
【図３１】
2007076738.tif 000033